(57)【要約】      （修正有）【課題】優れた毛髮トリミング効果と快適性を備え、且つモミアゲのトリミング機能も兼ね備え、全体の実用性及び利便性を向上する、往復式電気かみそりの提供。【解決手段】座体と、刃体と、網刃を含んで成り、そのうち、座体は内部に往復振動機構が設置され、刃体は一体成型で成り、かつ連続湾曲面が形成され、連続湾曲面の下凹面を介して往復振動機構上に固定され、連続湾曲面の上面には複数本の刃部が形成され、網刃は座体と相互に結合され、刃体の外廓に対応して設置される。【選択図】図３
0003130533.tif 000002
【実用新案登録請求の範囲】
【請求項１】
座体と、刃体と、網刃を含んで成り、そのうち、前記座体は内部に往復振動機構が設置され、前記刃体は一体成型で成り、かつ連続湾曲面が形成され、前記連続湾曲面の下凹面を介して前記往復振動機構上に固定され、前記連続湾曲面の上面には複数本の刃部が形成され、前記網刃は前記座体と相互に結合され、前記刃体の外廓に対応して設置されることを特徴とする、往復式電気かみそり。        
【請求項２】
前記刃体上面に形成される複数本の刃部が少なくとも１つの毛髪トリミング用刃面を含む、請求項１に記載の往復式電気かみそり。
【請求項３】
前記刃体上面に形成される複数本の刃部が少なくとも１つの毛髪トリミング用刃面及びモミアゲトリミング用刃面を含む、請求項１に記載の往復式電気かみそり。       
【請求項４】
前記刃体の毛髪トリミング用刃面が平面状を呈する、請求項２に記載の往復式電気かみそり。
【請求項５】
前記刃体の毛髪トリミング用刃面が平面状を呈する、請求項３に記載の往復式電気かみそり。     
【請求項６】
前記刃体の毛髪トリミング用刃面が円弧状を呈する、請求項２に記載の往復式電気かみそり。
【請求項７】
前記刃体の毛髪トリミング用刃面が円弧状を呈する、請求項３に記載の往復式電気かみそり。    
【請求項８】
前記刃体の毛髪トリミング用刃面が平面状と円弧状を組み合わせて設けられた、請求項２に記載の往復式電気かみそり。
【請求項９】
前記刃体の毛髪トリミング用刃面が平面状と円弧状を組み合わせて設けられた、請求項３に記載の往復式電気かみそり。      
【請求項１０】
前記網刃が一体成型で成り、且つ、複数本のトリマー刃が設けられた、請求項１に記載の往復式電気かみそり。
【請求項１１】
前記網刃の複数本のトリマー刃が傾斜した直線状を呈する、請求項１０に記載の往復式電気かみそり。     
【請求項１２】
前記網刃の複数本のトリマー刃が円弧状を呈する、請求項１０に記載の往復式電気かみそり。
【請求項１３】
前記網刃の複数本のトリマー刃が傾斜した直線状と円弧状を交互に排列して設けられた、請求項１０に記載の往復式電気かみそり。       
【請求項１４】
前記網刃の外廓が円弧状を呈する、請求項１に記載の往復式電気かみそり。
【請求項１５】
前記網刃の外廓が平面状を呈する、請求項１に記載の往復式電気かみそり。      
【請求項１６】
前記刃体上面に形成された少なくとも１つの毛髪トリミング用刃面及びモミアゲトリミング用刃面が前記網刃と座体を結合した内部に対応して設置される、請求項３に記載の往復式電気かみそり。
【請求項１７】
前記刃体上面に形成された少なくとも１つの毛髪トリミング用刃面が前記網刃と座体を結合した内部に対応して設置され、前記刃体上面に形成されたモミアゲトリミング用刃面が前記網刃と座体を結合した外部に対応して設置される、請求項３に記載の往復式電気かみそり。        
【考案の詳細な説明】
【技術分野】
【０００１】
本考案は往復式電気かみそりの改良構造に関し、詳細には、座体、刃体及び網刃を組み合わせた設計により、優れた毛髪トリミング効果及び機能性を提供でき、かつ、モミアゲのトリミング機能も兼ね備え、各種往復式電気かみそりまたは類似物品に適用可能である、往復式電気かみそりに関する。
【背景技術】
【０００２】
従来の往復式電気かみそりは主に座体、複数の刃体及び網刃を含んで成り、前記座体内に往復振動機構が設けられ、各刃体がこの往復振動機構上にそれぞれ固定され、前記網刃が座体と相互に結合され、且つ各刃体の外郭に対応して設置されると共に、この電気かみそりの片側に別途モミアゲのトリミングを行うためのトリミング刃が設置される。これにより、多刃式毛髪トリミング効果とモミアゲのトリミング機能を得るものである。しかしながら、このような電気かみそりの構造は、毛髪とモミアゲのトリミング効果を得ることはできるものの、各刃体がそれぞれ往復振動機構上に固定されなければならず、且つ、トリミング刃が別途配置されているため、全体の組み立て構造が繁多であり、組み立てに時間がかかり、コストが高いだけでなく、全体の安定性も比較的劣るため、実際の使用において使用者のニーズを満たすことができない。
【考案の開示】
【考案が解決しようとする課題】
【０００３】
本考案の主な目的は、座体、刃体及び網刃を組み合わせた設計により、一体成型から成り且つ連続湾曲面を形成した刃体を、この連続湾曲面の下凹面を介して前記往復振動機構上に固定し、また前記連続湾曲面の上面に複数本の刃部を形成し、前記刃体上面に形成した複数本の刃部に少なくとも１つの毛髪トリミング用刃面とモミアゲトリミング用刃面を設け、且つ、前記刃体の毛髪トリミング用刃面は平面状、円弧状または平面状と円弧状を組み合わせて設けることができ、優れた毛髮トリミング効果と快適性を備え、且つモミアゲのトリミング機能も兼ね備え、全体の実用性及び利便性を向上する、往復式電気かみそりを提供することにある。    
【０００４】
本考案の別の目的は、一体成型から成る網刃を座体と相互に結合させ、且つ、前記網刃が刃体の外郭に対応して設けられると共に、前記網刃に設置された複数本のトリマー刃は傾斜した直線状、円弧状または傾斜した直線状と円弧状を交互に排列した状態に設けることができ、網刃と刃体が固定刃と可動刃による交互切削を行い、優れた毛髪のトリミング効果を得ると共に、全体の実用性を向上する、往復式電気かみそりを提供することにある。  
【０００５】
本考案のさらに別の目的は、一体成型から成り且つ連続湾曲面を形成した刃体により、連動機構全体を簡素化し、組み立てにかかる時間とコストを抑えることができると共に、一体成型の連続湾曲面を備えた刃体は毛髪の特性と実際に使用する機能の必要性に対応し、さまざまな形態の刃体構造に設計でき、使用者のニーズを満たし、全体の機能性を向上する、往復式電気かみそりを提供することにある。
【課題を解決するための手段】
【０００６】
上述の目的を達するため、本考案の往復式電気かみそりは、座体、刃体及び網刃を含む。前記座体内に往復振動機構が設置され、前記刃体がこの往復振動機構上に固定される。前記刃体は一体成型で成り、連続湾曲面が形成され、この連続湾曲面の下凹面を介して前記往復振動機構上に固定されると共に、前記連続湾曲面の上面には複数本の刃部が形成される。前記網刃は前記座体と相互に結合され、且つ、前記刃体の外郭に対応して設けられる。これにより、優れた毛髪トリミング効果と快適性を提供すると同時に、モミアゲのトリミング機能も兼ね備えることができ、全体の実用性及び利便性を向上する。        
【考案を実施するための最良の形態】
【０００７】
本考案の上述及びその他目的と利点について、以下の具体的な実施例の詳細な説明と図面に基づき、より理解を深めることができる。
【０００８】
当然、本考案は一部部材上または部材の配置上に違いを許容することができるが、本明細書においては選択した実施例について詳細に説明し、かつ図面においてその構造を示す。
【０００９】
図１〜３に本考案の往復式電気かみそりの構造を示す。この往復式電気かみそりの構造は主に座体１０、刃体２０、網刃３０を含んで成る。
【００１０】
前記座体１０は内部に往復振動機構１１が設けられる。
【００１１】
前記刃体２０は前記往復振動機構１１上に固定され、この刃体２０は一体成型で成り、かつ連続湾曲面が形成され、この連続湾曲面の下凹面２１を介して前記往復振動機構１１上に固定されると共に、連続湾曲面の上面２２には複数本の刃部が形成される。そのうち、この刃体２０の上面２２に形成された複数本の刃部は少なくとも１つの毛髪トリミング用刃面２２１を含むか、或いは少なくとも１つの毛髪トリミング用刃面２２１及びモミアゲトリミング用刃面２２２を含み、この刃体２０の毛髪トリミング用刃面２２１は平面状、円弧状或いは平面状と円弧状を組み合わせた配置とすることができる。
【００１２】
前記網刃３０は前記座体１０と相互に結合され、この網刃３０は前記刃体２０の外廓に対応して設置される。この網刃３０は一体成型で成り、且つ、複数本のトリマー刃３１が設けられ、この網刃３０の複数本のトリマー刃３１は傾斜した直線状、円弧状或いは傾斜した直線状と円弧状を交互に排列することができ、この網刃３０を側面から見ると、その外廓は平面状或いは円弧状とすることができる（図１、図７参照）。
【００１３】
上述の構造により構成した往復式電気かみそりは、図１〜図６に示すように、その特徴が座体１０、刃体２０及び網刃３０の組み立て設計にあり、一体成型で成り、且つ連続湾曲面が設けられた刃体２０が、この連続湾曲面の下凹面２１を介して往復振動機構１１上に固定され、連続湾曲面の上面２２には複数本の刃部が形成され、かつこの刃体２０上面２２に形成された複数本の刃部が少なくとも１つの毛髪トリミング用刃面２２１（図３〜図６参照、この少なくとも１つの毛髪トリミング用刃面２２１は単一の毛髪トリミング用刃面、二つの毛髪トリミング用刃面或いは複数の毛髪トリミング用刃面として設けることができる）とモミアゲトリミング用刃面２２２を備えており、且つ、この刃体２０の毛髪トリミング用刃面２２１は平面状、円弧状或いは平面状と円弧状を組み合わせて設置することができ、優れた毛髪トリミング効果と快適性を得ることができると同時に、モミアゲのトリミング機能も兼ね備えることができる。また、一体成型から成る網刃３０と座体１０を相互に結合させ、且つ、この網刃３０が刃体２０の外廓に対応して設置され、かつこの網刃３０に設置された複数本のトリマー刃３１が傾斜した直線状、円弧状或いは傾斜した直線状と円弧状を交互に排列した形態とすることができることで、網刃３０と刃体２０に固定刃と可動刃による交互切削を行わせ、優れた毛髪のトリミング効果を得ることができ、また本考案のひげそり効果と安定性を高めると同時に、モミアゲのトリミング機能も兼ね備えることができ、全体の実用性及び利便性を向上する。このほか、一体成型の連続湾曲面を備えた刃体２０は毛髮の特性と実際の使用時の機能的ニーズに合わせ、使用者のニーズに合うさまざまな形態の刃体２０として設計することができ、全体の使用上の機能性及び多元性を向上する。
【００１４】
本考案は図１〜図６においては刃体２０の上面２２に少なくとも１つの毛髪トリミング用刃面２２１及びモミアゲトリミング用刃面２２２を形成し、網刃３０と座体１０を結合した内部に対応して設置されるが、実際の使用時には、（図８に示すように）往復振動機構１１上の刃体２０上面２２に形成した少なくとも１つの毛髪トリミング用刃面２２１を網刃３０と座体１０を結合した内部に対応させて設置し、刃体２０上面２２に形成したモミアゲトリミング用刃面２２２を網刃３０と座体１０を結合した外部に対応させて設置してもよく、且つ、モミアゲトリミング用刃面２２２は刃体２０の片側または両側に設けることができ、また設けないこともできる。
【００１５】
以上の詳細な説明により、関連技術を熟知した人物であれば本考案が確実に前述の目的を達することができることが分かり、特許法の規定に合致しているため、ここに実用新案登録を出願するものである。
【００１６】
以上で述べた説明は本考案の最良の実施例に基づくものであり、本考案の実施の範囲を制限するものではなく、本考案の請求の範囲及び明細書の内容に基づく簡単な同等効果を持つ変化や修飾はすべて本考案の特許範囲内に含まれるものとみなす。
【図面の簡単な説明】
【００１７】
【図１】本考案の実施例１の立体外観図である。
【図２】本考案の実施例１の立体分解図である。
【図３】本考案の実施例１の断面図である。
【図４】本考案の実施例２の断面図である。
【図５】本考案の実施例３の断面図である。
【図６】本考案の実施例４の断面図である。
【図７】本考案の実施例５の側面図である。
【図８】本考案の実施例６の断面図である。
【符号の説明】
【００１８】
１０      座体
１１      往復振動機構
２０      刃体
２１      下凹面
２２      上面
２２１    毛髪トリミング用刃面
２２２    モミアゲトリミング用刃面
３０      網刃
３１      トリマー刃
【図１】
0003130533.tif 000003
【図２】
0003130533.tif 000004
【図３】
0003130533.tif 000005
【図４】
0003130533.tif 000006
【図５】
0003130533.tif 000007
【図６】
0003130533.tif 000008
【図７】
0003130533.tif 000009
【図８】
0003130533.tif 000010